(57)【特許請求の範囲】
【請求項１】
内部に空気を流通させる空気流路を形成した筐体(2)と、該筐体(2)内に第１方向に延びる軸部材(3)を介して回動可能に取り付けられ、上記空気流路を開閉することによって空気の流通量を調整するシャッタ(4)と、上記筐体(2)外に第２方向に延びる軸周りに回動可能に取り付けられ、上記シャッタ(4)を開閉操作するための操作ダイヤル(6)と、上記軸部材(3)と上記操作ダイヤル(6)との間に設けられて両者を互いに連結し、該操作ダイヤル(6)の操作回動に連動して該軸部材(3)を回動させる連結部材(5)とを備えるレジスタ(1)であって、
上記軸部材(3)における上記連結部材(5)との連結部(32)及び該連結部材(5)における該軸部材(3)との連結部(51)の一方(51)には、相手部材(3)側に突出し且つ相手部材(3)とは反対側の該相手部材(3)側の端面(54a)以外の外表面(54b)が球面形状の突起部(54)が形成されている一方、他方(32)には、相手部材(5)側の端面(32a)に該突起部(54)に対応する形状で且つ該突起部(54)が揺動可能に嵌入された凹部(33)が形成されており、
上記操作ダイヤル(6)における上記連結部材(5)との連結部(62)及び該連結部材(5)における該操作ダイヤル(6)との連結部(52)の一方(52)には、相手部材(6)側に突出し且つ相手部材(6)とは反対側の該相手部材(6)側の端面(56a)以外の外表面(56b)が球面形状の突起部(56)が形成されている一方、他方(62)には、相手部材(5)側の端面(62a)に該突起部(56)に対応する形状で且つ該突起部(56)が揺動可能に嵌入された凹部(63)が形成されており、
上記突起部(54,56)は、球体の上記端面(54a,56a)より上記相手部材(3,6)側の部分を削ったものに等しく、
上記突起部(54,56)が上記凹部(33,63)に嵌め込まれた状態で、該突起部(54,56)の端面(54a,56a)と該凹部(33,63)の底面(33a,63a)との間には隙間(G11,G21)が設けられていることを特徴とするレジスタ。
【請求項２】
請求項１記載のレジスタであって、
上記突起部の端面(54a,56a)及び上記凹部の底面(33a,63a)の少なくとも一方は、その中央部が他方に向かって突出していることを特徴とするレジスタ。
【請求項３】
請求項１又は２記載のレジスタであって、
上記凹部側の連結部(32,62)は、該凹部(33,63)の開口(33c,63c)周縁部から上記底面(33a,63a)に至るスリット(SL1,SL2)が形成されていて、該凹部側の連結部(32)の外表面であ
って該スリット(SL1)を挟んで対向する部分同士を連結するとともに上記凹部(33)とは反
対側に突出し且つ該スリット(SL1)と連続する開口部(35c)を有する連結部(35)を有していることを特徴とするレジスタ。
【発明の詳細な説明】
【技術分野】
【０００１】
本発明は、例えば自動車の車室内の換気や空調の空気吹出部に使用されるレジスタに関する。
【背景技術】
【０００２】
従来より、自動車のインストルメントパネル等に配設され、例えば空調装置で調節された調和空気を車室内に吹き出す空気吹出部に使用されるレジスタが知られている。
【０００３】
例えば特許文献１には、内部に空気を流通させる空気流路を形成した筐体と、この筐体内に上下方向に延びる軸部材を介して回動可能に取り付けられ、上記空気流路を開閉することによって空気の流通量を調整するシャッタと、筐体外に上下方向に延びる軸周りに（つまり、左右方向に）回動可能に取り付けられ、シャッタを開閉操作するための操作ダイヤルと、軸部材と操作ダイヤルとの間に設けられて両者を互いに連結し、操作ダイヤルの操作回動に連動して軸部材を回動させる連結部材とを備えたレジスタが開示されている。
【０００４】
連結部材は、細長い板状の連結部材本体と、この連結部材本体の両端に設けられた円柱状の突起部とを備えている。一方、軸部材及び操作ダイヤルには、上下方向に貫通する円状の連結用孔がそれぞれ設けられている。そして、軸部材及び操作ダイヤルは、両突起部が軸部材及び操作ダイヤルの連結用孔にそれぞれ嵌合されることによって連結部材を介して互いに連結されている。
【０００５】
このレジスタでは、使用者が操作ダイヤルを左右方向に回動させると、連結部材が筐体前後方向に移動し、それに伴って軸部材が回転し、シャッタが左右方向に回動する。これにより、空気の流通量を調整することができる。
【先行技術文献】
【特許文献】
【０００６】
【特許文献１】特開２００９−１４３３４６号公報（第４〜６頁、図２，７，１０）
【発明の概要】
【発明が解決しようとする課題】
【０００７】
特許文献１に開示されたレジスタにおいて、空気を上方に吹き出すために、吹出口を設けた筐体の前端部を上方に屈曲した場合、即ち、操作ダイヤルの回動軸を上方に行くに従って筐体の後方に傾斜する方向に傾けた場合に操作ダイヤルを回動操作すると、連結部材の軸部材側の突起部は軸部材の連結用孔に追随して筐体の前後方向にのみ移動するが、連結部材の操作ダイヤル側の突起部は操作ダイヤルの連結用孔に追随して筐体の前後方向だけでなく上下方向にも移動する。従って、この場合に操作ダイヤルを回動操作するには、連結部材の操作ダイヤル側端部を撓ませなければならず、操作ダイヤルをスムーズに回動操作することができない。
【０００８】
そこで、突起部を球体にするとともに軸部材及び操作ダイヤルに該突起部を嵌め込み可能で且つ該突起部の上部との間に隙間を有する球体状の凹部を設けると、連結部材が該隙間の分だけ上下方向に移動し且つ該突起部が該凹部内を球体中心周りに回動するため、操作ダイヤルをスムーズに回動操作することができるようになる。
【０００９】
しかしながら、突起部が球体状であるため、連結部材が両突起部の中心を結ぶ軸周り（筐体前後方向に直交する直交方向）に回動し、連結部材が該直交方向にバタついてしまう。それに伴って、連結部材と軸部材及び操作ダイヤルとの衝突による異音が発生してしまうという問題がある。
【００１０】
本発明は、かかる点に鑑みてなされたものであり、その目的とするところは、操作ダイヤルとシャッタとを互いに連結する連結部材のバタつきを抑制することである。
【課題を解決するための手段】
【００１１】
第１の発明は、内部に空気を流通させる空気流路を形成した筐体と、該筐体内に第１方向に延びる軸部材を介して回動可能に取り付けられ、上記空気流路を開閉することによって空気の流通量を調整するシャッタと、上記筐体外に第２方向に延びる軸周りに回動可能に取り付けられ、上記シャッタを開閉操作するための操作ダイヤルと、上記軸部材と上記操作ダイヤルとの間に設けられて両者を互いに連結し、該操作ダイヤルの操作回動に連動して該軸部材を回動させる連結部材とを備えるレジスタであって、上記軸部材における上記連結部材との連結部及び該連結部材における該軸部材との連結部の一方には、相手部材側に突出し且つ相手部材とは反対側の該相手部材側の端面以外の外表面が球面形状の突起部が形成されている一方、他方には、相手部材側の端面に該突起部に対応する形状で且つ該突起部が揺動可能に嵌入された凹部が形成されており、上記操作ダイヤルにおける上記連結部材との連結部及び該連結部材における該操作ダイヤルとの連結部の一方には、相手部材側に突出し且つ相手部材とは反対側の該相手部材側の端面以外の外表面が球面形状の突起部が形成されている一方、他方には、相手部材側の端面に該突起部に対応する形状で且つ該突起部が揺動可能に嵌入された凹部が形成されており、上記突起部は、球体の上記端面より上記相手部材側の部分を削ったものに等しく、上記突起部が上記凹部に嵌入された状態で、該突起部の端面と該凹部の底面との間には隙間が設けられていることを特徴とする。
【００１２】
第２の発明は、第１の発明において、上記突起部の端面及び上記凹部の底面の少なくとも一方は、その中央部が他方に向かって突出していることを特徴とする。
【００１３】
第３の発明は、第１又は第２の発明において、上記凹部側の連結部は、該凹部の開口周縁部から上記底面に至るスリットが形成されていて、該凹部側の連結部の外表面であって該スリットを挟んで対向する部分同士を連結するとともに上記凹部とは反対側に突出し且つ該スリットと連続する開口を有する連結部を有していることを特徴とする。
【発明の効果】
【００１４】
第１の発明によると、各突起部の端面とそれに対向する各凹部の底面との間に隙間が設けられているため連結部材の筐体上下方向の移動が許容される一方で、該各端面が該各底面にそれぞれ当接することによって、連結部材の筐体前後方向に直交する直交方向におけるそれ以上の回動を規制することができる。従って、連結部材が上記直交方向にバタつくのを抑制することができ、連結部材と軸部材及び操作ダイヤルとの衝突による異音を抑制できる。
【００１５】
第２の発明によると、各突起部を各凹部にそれぞれ嵌め込む際に、各突起部の端面又は各凹部の底面の突出している中央部が対向する該端面又は底面に当接して各突起部のそれ以上の移動を規制するストッパの役割を果たすため、各凹部の変形を抑制することができる。さらに、上記中央部の突き出す大きさを調整することによって各端面と各底面との間の隙間間隔を調整することが可能なので、連結部材の筐体上下方向の移動を妨げずに操作ダイヤルをスムーズに回動操作することができると共に、異音の発生をより一層抑制することができる。
【００１６】
第３の発明によると、凹部側の連結部にスリットが設けられているので、突起部を凹部に嵌め込む際に凹部の開口が開きやすく、突起部を嵌め込みやすい。また、連結部がスリットを挟むように設けられており、スリットが幅方向外側に広がっても、この連結部が該幅方向内側に戻ろうとするので、凹部側の連結部の変形を抑制することができる。
【図面の簡単な説明】
【００１７】
【図１】本発明の実施形態１に係るレジスタの斜視図である。
【図２】図１のII-II線矢視断面図である。
【図３】実施形態１に係る軸部材及び操作ダイヤルの連結状態を示す斜視図である。
【図４】実施形態１に係る軸部材とリンク部材との連結部の断面図であって、（ａ）は、図３のIVa-IVa線矢視断面図であり、（ｂ）は、図３のIVb-IVb線矢視断面図である。
【図５】実施形態１に係る操作ダイヤルとリンク部材との連結部の断面図であって、（ａ）は、図３のVa-Va線矢視断面図であり、（ｂ）は、図３のVb-Vb線矢視断面図である。
【図６】実施形態２に係るレジスタの連結部の断面図であって、（ａ）は、操作ダイヤルとリンク部材との連結部の断面図であり、（ｂ）は、操作ダイヤルとリンク部材との連結部の断面図である。
【図７】実施形態２に係る突起部の変形例を示す図である。
【図８】実施形態３に係る軸部材を示す図である。
【発明を実施するための形態】
【００１８】
以下、本発明の実施形態を図面に基づいて詳細に説明する。尚、以下の好ましい実施形態の説明は、本質的に例示に過ぎない。
【００１９】
（実施形態１）
図１は、本実施形態に係るレジスタ１の斜視図である。図２は、図１のII−II線矢視断面図である。図３は、本実施形態に係る軸部材３及び操作ダイヤル６の連結状態を示す斜視図である。図４は、本実施形態に係る軸部材３とリンク部材（連結部材）５との連結部の断面図であって、（ａ）は、図３のIVa-IVa線矢視断面図であり、（ｂ）は、図３のIVb-IVb線矢視断面図である。図５は、本実施形態に係る操作ダイヤル６とリンク部材５との連結部の断面図であって、（ａ）は、図３のVa-Va線矢視断面図であり、（ｂ）は、図３
のVb-Vb線矢視断面図である。このレジスタ１は、例えば自動車のインストルメントパネ
ル等に配設され、空調装置で調節された調和空気を車室内に吹き出す空気吹出部に使用されるものであり、調和空気の吹出量や吹出方向を調整する機能を有する。
【００２０】
レジスタ１は、後端部（図１の紙面奥側の端部）が図示しないエアダクトを介して空調装置（不図示）に接続され、内部に空調装置で調節された空気を流通させる空気流路を形成した略矩形筒状の筐体２を備えている。筐体２は、空気を上方に吹き出すために、その前端部が若干上方に屈曲している。
【００２１】
筐体２内には、図２に示すように、上下方向（第１方向）に延びる第１回動軸Ｌ１周りに軸部材３を介して回動可能に取り付けられ、空気流路を開閉することによって空気の流通量を調整するシャッタ４が配設されている。シャッタ４は、樹脂製の板状部材であって、上下両端の幅方向中央部に取付孔が形成されている。上端側の取付孔には、筐体２の上面に設けられた軸部材（不図示）が嵌め込まれ、下端側の取付孔には、軸部材３上部の二股に分かれたシャッタ取付部３０が嵌め込まれている。
【００２２】
軸部材３は、筐体２の後端部の底面に設けられた貫通孔に回動可能に取り付けられている。軸部材３は、樹脂製であって、図３に示すように、上述のシャッタ取付部３０に加えて、筐体２の底面に設けられた貫通孔に回動可能に取り付けられる軸部材基部３１と、この軸部材基部３１の下端から筐体２の底面に平行に延びるリンク部材５との連結部である第１凹状連結部３２とを備えている。シャッタ取付部３０は、シャッタ６の厚みに相当する間隔を開けて配置された上下方向に延びる一対の板部材で構成されている。各板部材の上端部は、側面視して三角形状であって先端側に行くに従って細くなっている。シャッタ取付部３０をシャッタ６下端側の取付孔に取り付ける際には、各板部材が該取付孔に入ると互いに他方の板部材側に反れ、各板部材の上端部が該取付孔から抜け出ると、反れた状態から元の状態に戻る。軸部材基部３１は、互いに径の異なる略円柱状の２つの部材が上下に重なった形状を有し、下部が上部よりも径が大きい。この軸部材基部３１の中央部には上述のシャッタ支持部３０が上下方向に延びるように配置されている。シャッタ６は、軸部材基部３１の上面とシャッタ取付部３０の先端部とによって狭持されている。第１凹状連結部３２については後述する。
【００２３】
一方、筐体２の前端の吹出口を囲むように取り付けられた化粧枠２１下部の開口部内には、シャッタ４を開閉操作するための操作ダイヤル６が配設されている。この操作ダイヤル６は、筐体２外において筐体２の底面に取り付けられており、上方に行くに従って筐体２の後方に傾斜する方向（第２方向）に延びる第２回動軸Ｌ２周りに回動する。
【００２４】
操作ダイヤル６は、樹脂製の略円盤状の部材であって、化粧枠２１下部の開口を望む側面６０には使用者が回動操作しやすいように複数の縦リブ６１が左右方向に互いに等間隔に設けられ、第２回動軸Ｌ２を挟んで側面６０の反対側であって側面６０の側部にはリンク部材５との連結部である第２凹状連結部６２が設けられている。
【００２５】
リンク部材５は、軸部材３と操作ダイヤル６との間に設けられて両者を互いに連結し、操作ダイヤル６の操作回動に連動して軸部材３を回動させる。リンク部材５は、樹脂製であって、軸部材３と操作ダイヤル６との間に延在する細長い板状のリンク部材本体５０と、このリンク部材本体５０の軸部材３側の端部において軸部材３に向かって突設された軸部材３との連結部である第１突出状連結部５１と、リンク部材本体５０の操作ダイヤル６側の端部において操作ダイヤル６に向かって突設された操作ダイヤル６との連結部である第２突出状連結部５２とを備えている。第１及び第２突出状連結部５１，５２は、それぞれ第１及び第２回動軸Ｌ１，Ｌ２に沿って上側に突出しており、リンク部材本体５０は、両突出部５１，５２がそれぞれ第１及び第２回動軸Ｌ１，Ｌ２に沿って上側に突出できるように延在方向中央部で若干折れ曲がっている。
【００２６】
図４に示すように、第１突出状連結部５１には、リンク部材本体５０から軸部材３（第１凹状連結部３２）側に延在する第１円柱部５３と、軸部材３（第１凹状連結部３２）側の平坦な第１上端面５４ａ以外の軸部材３とは反対側の外表面５４ｂが球面形状の第１突起部５４が形成されている。この第１突起部５４は、球面形状の外表面５４ｂを表面の一部とし且つ中心点Ｃ５４を中心とする球体の第１上端面５４ａより上方の部分を削ったものに等しい。一方、軸部材３の第１凹状連結部３２には、リンク部材５側の第１下端面３２ａに第１突起部５４に対応する形状で且つ第１突起部５４が揺動可能に嵌入される第１凹部３３が形成されている。第１凹部３３は、第１回動軸Ｌ１に沿って上側に突出するように設けられ、第１突起部５４の第１上端面５４ａに対向する平坦な第１底面３３ａと、第１突起部５４の外表面５４ｂに対応する球面形状の内表面３３ｂとを備えている。この第１凹部３３の形状は、球面形状の内表面３３ｂを表面の一部とし且つ第１突起部５４と同等若しくは若干小さな径を有する球体の第１底面３３ａより上方の部分を削ったものの形状に等しい。
【００２７】
第１突起部５４が第１凹部３３に嵌め込まれた状態において、第１突起部５４の下端部は第１開口下端３３ｃの内周縁に引っ掛かる。そして、第１突起部５４の第１上端面５４ａと第１凹部３３の第１底面３３ａとの間には隙間Ｇ１１が形成されている。また、リンク部材本体５０と第１下端面３２ａとの間にも隙間Ｇ１２が形成されている。そして、図４（ａ），（ｂ）に示すように、隙間Ｇ１１は、隙間Ｇ１２よりも小さい。
【００２８】
次に図５に示すように、第２突出状連結部５２には、リンク部材本体５０から操作ダイヤル６（第２凹状連結部６２）側に延在する第２円柱部５５と、操作ダイヤル６（第２凹状連結部６２）側の平坦な第２上端面５６ａ以外の操作ダイヤル６とは反対側の外表面５６ｂが球面形状の第２突起部５６が形成されている。第２突起部５６は、球面形状の外表面５６ｂを表面の一部とし且つ中心点Ｃ５６を中心とする球体の第２上端面５６ａより上方の部分を削ったものに等しい。一方、操作ダイヤル６の第２凹状連結部６２には、リンク部材５側の第２下端面６２ａに第２突起部５６に対応する形状で且つ第２突起部５６が揺動可能に嵌入される第２凹部６３が形成されている。第２凹部６３は、第２回動軸Ｌ２に沿って上側に突出するように設けられ、第２突起部５６の第２上端面５４ａに対向する平坦な第２底面６３ａと、第２突起部５６の外表面５４に対応する球面形状の内表面６３ｂとを備えている。この第２凹部６３の形状は、球面形状の内表面６３ｂを表面の一部とし且つ第２突起部５６と同等若しくは若干小さな径を有する球体の第２底面６３ａより上方の部分を削ったものの形状に等しい。
【００２９】
第２突起部５６が第２凹部６３に嵌め込まれた状態において、第２突起部５６の下端部は第２下端開口６３ｃの内周縁に引っ掛かる。そして、第２突起部５６の第２上端面５６ａと第２凹部６３の第２底面６３ａとの間には、隙間Ｇ２１が設けられている。また、リンク部材本体５０と第２下端面６２ａとの間にも隙間Ｇ２２が設けられている。そして、図５（ａ），（ｂ）に示すように、隙間Ｇ２１は、隙間２２よりも小さい。
【００３０】
このように、第１及び第２凹部３３，６３内の上部に隙間Ｇ１１，Ｇ２１が設けられると共に、リンク部材本体５０と軸部材３及び操作ダイヤル６とのそれぞれの間にも隙間Ｇ１２，Ｇ２２が設けられている。従って、リンク部材５は筐体２前後方向の移動に加えて筐体２上下方向への移動が可能なので、操作ダイヤル６をスムーズに回動操作することができる。
【００３１】
尚、第１及び第２凹状連結部３２，６２には、第１及び第２下端開口３３ｃ，６３ｃの周縁部から第１及び第２底面３３ａ，６３ａの中央部に至る上方から見て幅が一定の矩形の第１及び第２スリットＳＬ１，ＳＬ２がそれぞれ形成されている（図３参照）。また、第１及び第２スリットＳＬ１，ＳＬ２は、操作ダイヤル６が回動操作されるのに伴ってリンク部材５が移動する移動方向にそれぞれ交差するように設けられている。一方、第１及び第２下端開口３３ｃ，６３ｃの周縁部には、第１及び第２下端面３３ａ，６３ａに平行であって外方に向かって突出する第１及び第２突出部３４，６４がそれぞれ設けられている。
【００３２】
（実施形態１に係るレジスタの効果）
本実施形態のレジスタ１では、リンク部材５が第１及び第２突起部５４，５６のそれぞれの中心Ｃ５４，Ｃ５６を結ぶ軸Ｌ３（図２参照）周りに回動するものの、第１及び第２上端面５４ａ，５６ａの周縁部がそれぞれ第１及び第２底面３３ａ，６３ａに当接することによって、リンク部材５のそれ以上の回動を規制することができる。従って、リンク部材５が軸Ｌ３に直交する直交方向にバタつくのを抑制することができ、リンク部材５と軸部材３及び操作ダイヤル６との衝突による異音を抑制できる。
【００３３】
また、隙間Ｇ１１及びＧ２１はそれぞれ隙間Ｇ１２及びＧ２２よりも小さいため、リンク部材本体５０が軸部材３及び操作ダイヤル６に衝突する前に第１及び第２上端面５４ａ，５６ａがそれぞれ第１及び第２底面３３ａ，６３ａに当接し、リンク部材５のそれ以上の回動が規制されるので、より確実に異音を抑制することができる。
【００３４】
また、本実施形態のレジスタ１では、第１及び第２突起部５４，５６が第１及び第２凹部３３，６３にそれぞれ嵌入されるときに第１及び第２下端開口３３ｃ，６３ｃがそれぞれ第１及び第２スリットＳＬ１，ＳＬ２の幅方向に開くので、第１及び第２突起部５４，５６を第１及び第２凹部３３，６３に嵌入しやすくなる。
【００３５】
また、本実施形態のレジスタ１では、第１及び第２スリットＳＬ１，ＳＬ２の延在方向がリンク部材５の移動方向と交差しているので、リンク部材５の移動に伴って第１及び第２突起部５４，５６がそれぞれ第１及び第２スリットＳＬ１，ＳＬ２から抜け出るのを防止できる。
【００３６】
また、本実施形態のレジスタ１では、上記第１及び第２突出部３４，６４が設けられているので、成形金型から軸部材３及び操作ダイヤル６を取り外すときに第１及び第２突出部３４，６４をインジェクタピンで突き出して脱型することができる。従って、脱型時における第１及び第２凹状連結部３２，６２の変形を防止できる。
【００３７】
（実施形態２）
本実施形態は、図６に示すように、第１及び第２底面３３ａ，６３ａを変形したものである。図６（ａ）は、本実施形態の軸部材３とリンク部材５との連結状態を示す断面図であり、図６（ｂ）は、本実施形態の操作ダイヤル６とリンク部材５との連結状態を示す断面図である。第１及び第２凹部３３，６３の第１及び第２底面３３ａ，６３ａは、各中央部が、対向する第１及び第２突起部５４，５６の第１及び第２上端面５４ａ，５６ａに向かって突出するように湾曲している。即ち、第１及び第２底面３３ａ，６３ａの形状は、各中央部がそれぞれ第１及び第２上端面５４ａ，５６ａに最も突出し、径方向外側に行くに従って第１及び第２上端面５４ａ，５６ａから遠ざかるようなすり鉢状である。言い換えると、第１及び第２底面３３ａ，６３ａの形状は、どの方向から切った断面でも各中央部がそれぞれ第１及び第２上端面５４ａ，５６ａに突出している。その他の点に関しては実施形態１とほぼ同様の構成である。
【００３８】
（実施形態２に係るレジスタの効果）
本実施形態のレジスタ１では、各突起部５４，５６を各凹部３３，６３にそれぞれ嵌め込む際に、各底面３３ａ，６３ａの中央部が各突起部５４，５６の各上端面５４ａ，５６ａに当接して各突起部５４，５６のそれ以上の移動を規制するストッパの役割を果たすため、各凹状連結部３２，６２の変形を抑制することができる。さらに、上記中央部の突き出す大きさを調整することによって各上端面５４ａ，５６ａと各底面３３ａ，６３ａとの間の隙間Ｇ１１，Ｇ１２の間隔を調整することが可能なので、リンク部材５の筐体２上下方向の移動を妨げずに操作ダイヤル６をスムーズに回動操作することができると共に、異音の発生をより一層抑制することができる。
【００３９】
尚、本実施形態では、第１及び第２底面３３ａ，６３ａだけを変形した形態を示したが、第１及び第２上端面５４ａ，５６ａだけを湾曲させてもよいし、第１及び第２底面３３ａ，６３ａ並びに第１及び第２上端面５４ａ，５６ａの双方を互いに相手方に向かって湾曲させてもよい。
【００４０】
（実施形態２に係るレジスタの変形例）
この他にも、第１及び第２上端面５４ａ，５６ａ及び第１及び第２底面３３ａ，６３ａの少なくとも一方を図７に示すような形状に変形してもよい。図７は、第１及び第２上端面５４ａ，５６ａの変形例を示す図である。ここでは第１及び第２上端面５４ａ，５６ａを変形した例のみを示すが、第１及び第２底面３３ａ，６３ａも同様に変形できるのはいうまでもない。
【００４１】
図７（ａ）に示すように、第１及び第２上端面５４ａ，５６ａの中央部に円錐状の突起５７を設けてもよい。また、図７（ｂ）に示すように、この突起５７を、その先端部を平坦にした円錐台状にしてもよい。これにより、円錐状の場合と比べて、嵌め込む際に対向する第１及び第２底面３３ａ，６３ａの一点に力が集中しないため、各凹状連結部３２，６２の変形をより確実に防止できる。さらに、図７（ｃ）に示すように、第１及び第２上端面５４ａ，５６ａの各中央部を含むリンク部材本体５０の延在方向に直交する線条部５８を設けてもよい。この線条部５８は第１及び第２上端面５４ａ，５６ａの残部よりも高く、各上端面５４ａ，５６ａは、線条部５８からリンク部材本体５０の上記延在方向の両側部に行くに従って低くなるように形成されている。これにより、各スリットＳＬ１，ＳＬ２が各底面３３ａ，６３ａの中央部まで設けられた場合でも、線条部５８が各底面３３ａ，６３ａの各スリットＳＬ１，ＳＬ２両側部分に当接することができるので、各凹状連結部３２，６２の変形を防止できる。
【００４２】
また、図４（ａ），図５（ｂ）で示したように、隙間Ｇ１１，Ｇ１２全体を狭くすることができるので、操作ダイヤル６がどの位置に止まっていてもリンク部材５が軸Ｌ３周りに回動する範囲を小さくして上記直交方向にバタつくのをより少なくすることができるため、リンク部材５と軸部材３及び操作ダイヤル６との衝突による異音を制御できる。また、操作ダイヤル６もスムーズに回動操作することができる。
【００４３】
（実施形態３）
本実施形態は、図８に示すように、第１スリットＳＬ１を挟むようにＵ字連結部３５を設けたものである。以下、これについて説明する。
【００４４】
図８は、本実施形態の軸部材３の斜視図である。第１凹状連結部３２は、その外表面であって第１スリットＳＬ１を挟んで対向する部分同士を連結するとともに第１凹部３３とは反対側に突出し且つ第１スリットＳＬ１と連続する開口部３５ｃを有するＵ字状のＵ字連結部３５を有している。Ｕ字連結部３５は、軸部材３と同様に樹脂製であって弾性を有する。
【００４５】
第１突起部５４を第１凹部３３に嵌め込む際に、第１スリットＳＬ１は、その幅方向に広がる。すると、Ｕ字連結部３５の両端部は、スリットの幅方向に一旦広がるものの、第１突起部５４の最大径部分が第１下端開口３３ｃを通過すると狭まる方向に転じて、次第に元の形状に戻る。
【００４６】
尚、本実施形態では、軸部材３側の第１凹状連結部３２がＵ字連結部３５を有する形態を示したが、操作ダイヤル６側の第２凹状連結部６２が同様の連結部を有してもよい。また、本実施形態では、Ｕ字連結部３５を第１下端開口３３ｃ周縁部に設けたが、第１下端開口３３ｃ周縁部以外の部分（例えば、第１下端開口３３ｃ周縁部と第１底面３３ａの裏面との間）に設けてもよい。
【００４７】
（実施形態３に係るレジスタの効果）
本実施形態のレジスタ１では、Ｕ字連結部３５が第１スリットＳＬ１を挟むように設けられており、第１スリットＳＬ１がその幅方向外側に広がっても、Ｕ字連結部３５が該幅方向内側に戻ろうとするので、第１凹状連結部３２の変形を抑制することができる。
【００４８】
なお、第１スリットＳＬ１を挟むように設ける連結部は、Ｕ字状に限定されず、第１凹部３３とは反対側に突出し且つこの第１スリットＳＬ１と連続する開口部を有していればよく、例えばＶ字状の連結部であってもよい。
【００４９】
《その他の実施形態》
本発明は、上記実施形態について、以下のような構成としてもよい。
【００５０】
即ち、筐体２は前端部が若干上方に屈曲していたが、これに限定されず、真っ直ぐでもよい。
【産業上の利用可能性】
【００５１】
本発明は、操作ダイヤルを操作することにより空気の流通量を調整することができるレジスタにおいて、操作ダイヤルとシャッタの軸部材とを連結するリンク部材のバタつきを抑制できる点で有用である。
【符号の説明】
【００５２】
１              レジスタ
２              筐体
３              軸部材
３２            第１凹状連結部（軸部材における連結部材との連結部）
３２ａ          第１下端面（相手部材側の端面）
３３            第１凹部（凹部）
３３ａ          第１底面（底面）
３３ｃ          第１下端開口（凹部の開口）
３５            Ｕ字連結部（連結部）
３５ｃ          開口部（スリットと連続する開口部）
４              シャッタ
５              リンク部材（連結部材）
５１            第１突出状連結部（連結部材における軸部材との連結部）
５２            第２突出状連結部（連結部材における操作ダイヤルとの連結部）
５４            第１突起部（突起部）
５４ａ          第１上端面（端面）
５６            第２突起部（突起部）
５６ａ          第２上端面（端面）
６              操作ダイヤル
６２            第２凹状連結部（操作ダイヤルにおけるリンク部材との連結部）
６２ａ          第２下端面（相手部材側の端面）
６４            第２凹部（凹部）
６４ａ          第２底面（底面）
Ｇ１１，Ｇ２１  隙間
ＳＬ１，ＳＬ２  スリット
【図１】
0005704991.tif 000002
【図２】
0005704991.tif 000003
【図３】
0005704991.tif 000004
【図４】
0005704991.tif 000005
【図５】
0005704991.tif 000006
【図６】
0005704991.tif 000007
【図７】
0005704991.tif 000008
【図８】
0005704991.tif 000009